【手続補正書】
【提出日】平成28年7月15日(2016.7.15)
【手続補正１】
【補正対象書類名】特許請求の範囲
【補正対象項目名】全文
【補正方法】変更
【補正の内容】
【特許請求の範囲】
【請求項１】
内蔵された処理部が実行するネイティブ部分実行部と、
ネットワークを介して接続されたサーバから受けた情報の表示処理を行うウェブブラウザと、
が組み合わされたアプリケーションを実行する情報端末であって、
前記ネイティブ部分実行部及び前記ウェブブラウザを実行可能な実行手段は、
前記ネイティブ部分実行部にてネットワークを介してサーバにアクセスして通信を行い、前記サーバから情報を取得可能な通信手段と、
前記通信手段によって取得した情報を記憶可能な記憶手段と、
を備え、
前記記憶手段に前記表示処理に必要なアセットデータが記憶されている場合には、記憶されている前記アセットデータを前記ウェブブラウザに渡し、
前記記憶手段に前記アセットデータが記憶されていない場合には、前記通信手段によって前記サーバから前記アセットデータを取得し、取得した前記アセットデータを前記ウェブブラウザに渡す
ことを特徴とする情報端末。
【請求項２】
請求項１に記載の情報端末であって、
前記記憶手段は、前記ウェブブラウザからアクセス可能な第１記憶手段と、前記ネイティブ部分実行部からアクセス可能な第２記憶手段と、を含み、
前記第１記憶手段及び前記第２記憶手段の少なくとも一つに前記アセットデータが記憶されている場合には、記憶されている前記アセットデータを前記ウェブブラウザに渡し、
前記第１記憶手段及び前記第２記憶手段に前記アセットデータが記憶されていない場合には、前記通信手段によって前記サーバから前記アセットデータを取得し、取得した前記アセットデータを前記ウェブブラウザに渡す
ことを特徴とする情報端末。
【請求項３】
請求項２に記載の情報端末であって、
前記第１記憶手段に前記アセットデータが記憶されていない場合、前記通信手段によって、前記サーバから前記アセットデータのバージョン情報を取得し、前記バージョン情報を用いて前記第２記憶手段に前記アセットデータが記憶されていないと判別された場合に、前記サーバにアクセスして前記アセットデータを取得する
ことを特徴とする情報端末。
【請求項４】
請求項２又は３に記載の情報端末であって、
前記サーバから取得された前記アセットデータを前記第２記憶手段に記憶させることを特徴とする情報端末。
【請求項５】
請求項１〜４のいずれか１項に記載の情報端末であって、
前記通信手段は、前記サーバから取得される前記アセットデータを前記ウェブブラウザで処理可能なデータ形式に変換することを特徴とする情報端末。
【請求項６】
コンピュータ端末内の処理部が実行するネイティブ部分実行部と、
前記コンピュータ端末とネットワークを介して接続されたサーバから受けた情報の表示処理を行うウェブブラウザと、
が組み合わされたアプリケーションを含むデータ処理プログラムであって、
前記コンピュータ端末を、
前記ネイティブ部分実行部及び前記ウェブブラウザを実行可能な実行手段は、
前記ネイティブ部分実行部にてネットワークを介してサーバにアクセスして通信を行い、前記サーバから情報を取得可能な通信手段と、
前記通信手段によって取得した情報を記憶可能な記憶手段と、
を備え、
前記記憶手段に前記表示処理に必要なアセットデータが記憶されている場合には、記憶されている前記アセットデータを前記ウェブブラウザに渡し、
前記記憶手段に前記アセットデータが記憶されていない場合には、前記通信手段によって前記サーバから前記アセットデータを取得し、取得した前記アセットデータを前記ウェブブラウザに渡す情報端末として機能させることを特徴とするデータ処理プログラム。
【手続補正２】
【補正対象書類名】明細書
【補正対象項目名】００１１
【補正方法】変更
【補正の内容】
【００１１】
本発明の１つの態様は、内蔵された処理部が実行するネイティブ部分実行部と、ネットワークを介して接続されたサーバから受けた情報の表示処理を行うウェブブラウザと、が組み合わされたアプリケーションを実行する情報端末であって、前記ネイティブ部分実行部及び前記ウェブブラウザを実行可能な実行手段は、前記ネイティブ部分実行部にてネットワークを介してサーバにアクセスして通信を行い、前記サーバから情報を取得可能な通信手段と、前記通信手段によって取得した情報を記憶可能な記憶手段と、を備え、前記記憶手段に前記表示処理に必要なアセットデータが記憶されている場合には、記憶されている前記アセットデータを前記ウェブブラウザに渡し、前記記憶手段に前記アセットデータが記憶されていない場合には、前記通信手段によって前記サーバから前記アセットデータを取得し、取得した前記アセットデータを前記ウェブブラウザに渡すことを特徴とする情報端末である。
【手続補正３】
【補正対象書類名】明細書
【補正対象項目名】００１２
【補正方法】変更
【補正の内容】
【００１２】
ここで、前記記憶手段は、前記ウェブブラウザからアクセス可能な第１記憶手段と、前記ネイティブ部分実行部からアクセス可能な第２記憶手段と、を含み、前記第１記憶手段及び前記第２記憶手段の少なくとも一つに前記アセットデータが記憶されている場合には、記憶されている前記アセットデータを前記ウェブブラウザに渡し、前記第１記憶手段及び前記第２記憶手段に前記アセットデータが記憶されていない場合には、前記通信手段によって前記サーバから前記アセットデータを取得し、取得した前記アセットデータを前記ウェブブラウザに渡すことが好適である。
【手続補正４】
【補正対象書類名】明細書
【補正対象項目名】００１３
【補正方法】変更
【補正の内容】
【００１３】
また、前記第１記憶手段に前記アセットデータが記憶されていない場合、前記通信手段によって、前記サーバから前記アセットデータのバージョン情報を取得し、前記バージョン情報を用いて前記第２記憶手段に前記アセットデータが記憶されていないと判別された場合に、前記サーバにアクセスして前記アセットデータを取得することが好適である。
【手続補正５】
【補正対象書類名】明細書
【補正対象項目名】００１４
【補正方法】変更
【補正の内容】
【００１４】
また、前記サーバから取得された前記アセットデータを前記第２記憶手段に記憶させることが好適である。
【手続補正６】
【補正対象書類名】明細書
【補正対象項目名】００１５
【補正方法】変更
【補正の内容】
【００１５】
また、前記通信手段は、前記サーバから取得される前記アセットデータを前記ウェブブラウザで処理可能なデータ形式に変換することが好適である。
【手続補正７】
【補正対象書類名】明細書
【補正対象項目名】００１６
【補正方法】変更
【補正の内容】
【００１６】
上記情報端末は、以下のデータ処理プログラムにより実現することができる。すなわち、コンピュータ端末内の処理部が実行するネイティブ部分実行部と、前記コンピュータ端末とネットワークを介して接続されたサーバから受けた情報の表示処理を行うウェブブラウザと、が組み合わされたアプリケーションを含むデータ処理プログラムであって、前記コンピュータ端末を、前記ネイティブ部分実行部及び前記ウェブブラウザを実行可能な実行手段は、前記ネイティブ部分実行部にてネットワークを介してサーバにアクセスして通信を行い、前記サーバから情報を取得可能な通信手段と、前記通信手段によって取得した情報を記憶可能な記憶手段と、を備え、前記記憶手段に前記表示処理に必要なアセットデータが記憶されている場合には、記憶されている前記アセットデータを前記ウェブブラウザに渡し、前記記憶手段に前記アセットデータが記憶されていない場合には、前記通信手段によって前記サーバから前記アセットデータを取得し、取得した前記アセットデータを前記ウェブブラウザに渡す情報端末として機能させることを特徴とするデータ処理プログラムである。
【手続補正８】
【補正対象書類名】明細書
【補正対象項目名】００１７
【補正方法】削除
【補正の内容】